(57)【要約】【課題】  比較的少ないエネルギー消費で、ＰＭを効果的に燃焼又は酸化除去する排ガス浄化装置、及びその制御方法を提供する。【解決手段】  排ガス流れ中にパティキュレートフィルター１を配置して、排ガス中のパティキュレート（ＰＭ）を捕集する排ガス浄化装置１０であって、燃料をプラズマ化して、このフィルターの上流側に噴出４させるプラズマ発生装置２を有する、排ガス浄化装置１０とする。またこの排ガス浄化装置の制御方法とする。【選択図】      図１
2006170049.tif 000002
【特許請求の範囲】
【請求項１】
排ガス流れ中にパティキュレートフィルターを配置して、排ガス中のパティキュレートを捕集する排ガス浄化装置であって、
燃料をプラズマ化して、前記フィルターの上流側で前記排ガス流れ中に噴出させるプラズマ発生装置を有する、排ガス浄化装置。
【請求項２】
前記プラズマ発生装置が、燃料と共に水をプラズマ化する、請求項１に記載の排ガス浄化装置。
【請求項３】
前記プラズマ発生装置が、燃料と共に排ガスの一部又は空気をプラズマ化する、請求項１又は２に記載の排ガス浄化装置。
【請求項４】
前記プラズマ発生装置を用いて燃料をプラズマ化して排ガス流れ中に噴出させることによって、前記フィルターにおける排ガスの温度を５００℃超にして、前記フィルターに捕集されているパティキュレートを燃焼除去する、請求項１〜３のいずれかに記載の排ガス浄化装置の制御方法。
【請求項５】
前記プラズマ発生装置を用いて燃料と共に排ガスの一部又は空気をプラズマ化して排ガス流れ中に噴出させることによって、排ガス流れ中に酸化性成分を発生させて、前記フィルターにおける排ガスの温度が４５０℃未満の状態で、前記フィルターに捕集されているパティキュレートを燃焼除去する、請求項３に記載の排ガス浄化装置の制御方法。
【発明の詳細な説明】
【技術分野】
【０００１】
本発明は、排ガス流れ中のパティキュレートを捕集するパティキュレートフィルターを用いて排ガスを浄化する排ガス浄化装置、及びその制御方法に関する。
【背景技術】
【０００２】
自動車等の内燃機関、特にディーゼル機関の排気中には、カーボンを主成分とするパティキュレート（以下では「ＰＭ（Ｐａｒｔｉｃｕｌａｔｅ  Ｍａｔｔｅｒ）」という）が含まれており、排気黒煙の原因となっている。環境汚染の観点からは、このＰＭを捕集除去することが望ましい。この目的のために、ディーゼル機関の排気流路にセラミック製のパティキュレートフィルター（以下では「ＰＭフィルター」という）を配置し、ＰＭをこのフィルターによって捕集除去し、このフィルターに捕集されたＰＭを間欠的又は連続的に燃焼させてフィルターを再生する排ガス浄化装置が提案されている。
【０００３】
ここで、ＰＭフィルターに捕集されたＰＭを燃焼除去するためには一般に、排気管への燃料の添加、エンジンのリッチ制御等によって排気温を高めることが行われている。排気管への燃料の添加のために使用される従来のインジェクターは例えば、図７に示すようなものである。このインジェクター１００は、内部に中空空間１３を有するほぼ円筒状のノズル１２と、このノズル１２の中空空間１３内で摺動（移動）するほぼ円柱形のニードル弁１４とを具備している。このノズル１２とニードル弁１４とはこれらの軸線Ａが同軸になるように配置されている。またこのノズル１２には中空空間１３に通じる供給通路１５が設けられている。供給通路１５は燃料供給源（図示せず）に接続され、この供給通路１５を介して中空空間１３内に高圧の燃料が供給される。供給された燃料は、ニードル弁１４とノズル１２の内壁面との間の環状流路１６を介してノズル１２の先端部分へと流れ、ノズル１２の先端部分の噴射孔１９から噴射される。ここでは、ニードル弁１４を中空空間１３内で摺動させ、ニードル弁１４の先端をノズル先端部分の内壁面と接触させることによって、噴射孔１９の入口を開閉し、噴射口１９からの燃料の噴射を制御する。
【０００４】
フィルターに捕集されたＰＭの燃焼除去のためにプラズマを使用することも提案されており、例えば特許文献１では、ディーゼルエンジンから放出される排気中のＰＭをフィルターで捕集し、このフィルターを挟むようにして配置された電極の間で放電を行ってプラズマを発生させ、このプラズマエネルギーによってＰＭを酸化除去する排ガス浄化装置が開示されている。
【０００５】
また特許文献２では、ディーゼルエンジンから放出される排気中のＰＭをフィルターで捕集し、このフィルターの上流側の触媒でＮＯ2を生成し、このＮＯ2によってＰＭを酸化除去する排ガス浄化装置が開示されている。ここでは、ＰＭを捕集したフィルターにＮＯ2を供給すると、２５０℃といった比較的低温から、ＰＭの燃焼除去が達成されることが開示されている。
【０００６】
【特許文献１】特開２００１−２９５６２９号公報
【特許文献２】特許３０１２２４９号公報
【発明の開示】
【発明が解決しようとする課題】
【０００７】
ＰＭフィルターに捕集されたＰＭを燃焼除去するために、従来のインジェクターによって排気管に燃料を添加する場合、特に排気が比較的低温であるときには、初期に添加される燃料の酸化反応が進行しにくく、添加された燃料の一部が新たにＰＭを形成してしまうこと、添加された燃料がそのまま大気中に放出されること等が考えられる。
【０００８】
上記特許文献１及び２に記載の排ガス浄化装置は、フィルターで捕集したＰＭの燃焼又は酸化除去という目的を部分的に達成している。しかしながら、特許文献１の排ガス浄化装置では、プラズマ発生のために比較的多くの電気エネルギーが必要とされる場合があり、また特許文献２の排ガス浄化装置では、充分な量のＮＯ2を発生させることができず、従って充分なＰＭの燃焼除去が達成できない場合がある。
【０００９】
よって本発明では、比較的少ないエネルギー消費で、ＰＭを効果的に燃焼又は酸化除去する排ガス浄化装置、及びその制御方法を提供する。
【課題を解決するための手段】
【００１０】
本発明の排ガス浄化装置は、排ガス流れ中にＰＭフィルターを配置して、排ガス中のＰＭを捕集する排ガス浄化装置であって、燃料をプラズマ化して、フィルターの上流側、特に触媒装置などを介さないで直接にフィルターの上流側で、排ガス流れ中に噴出させるプラズマ発生装置を有する。
【００１１】
本発明の排ガス浄化装置によれば、プラズマ発生装置で燃料をプラズマ化して排ガス流れ中に噴出させることによって、排気が比較的低温であるときにも、添加される燃料の酸化反応を促進できる。従って添加された燃料が新たにＰＭを形成すること、及び添加された燃料が未反応のままで大気中に放出されることを抑制できる。
【００１２】
また本発明の排ガス浄化装置では、燃料を供給される排ガス流れの全体をプラズマ化するのではなく、プラズマ発生装置で燃料をプラズマ化した後で排ガス流れ中に噴出させている。従ってプラズマ化される空間を比較的狭くすること、すなわち比較的少ない消費エネルギーで大きいプラズマ密度を得ることができる。
【００１３】
本発明の排ガス浄化装置の１つの態様では、プラズマ発生装置が燃料と共に水をプラズマ化する。
【００１４】
この態様によれば、燃料と共に水をプラズマ化することによって、ＯＨラジカル、Ｏラジカル等を生成させることができる。これらのＯＨラジカル、Ｏラジカル等は、燃料の酸化反応を促進し、またプラズマによって切断された燃料の分子鎖の末端に結合して、不飽和炭化水素の生成を防ぎ、すすの生成を抑制することができる。
【００１５】
また本発明の排ガス浄化装置の１つの態様では、プラズマ発生装置が、燃料と共に排ガスの一部又は空気をプラズマ化する。
【００１６】
プラズマ発生装置が、燃料と共に排ガスの一部、特に再循環排ガスをプラズマ化する場合、酸化活性の高いＮＯ2、オゾン、Ｏラジカル等生成を促進して、ＰＭフィルターに捕集されたＰＭの燃焼除去を促進できる。
【００１７】
プラズマ発生装置が、燃料と共に空気をプラズマ化する場合、酸化活性の高いオゾン、Ｏラジカル等の生成を促進して、ＰＭフィルターに捕集されたＰＭの燃焼除去を促進できる。また、空気は排ガスよりも酸素濃度が高いので、燃料の酸化反応、従って排ガス温度の上昇を促進することができる。
【００１８】
本発明の排ガス浄化装置の制御方法では、プラズマ発生装置を用いて燃料をプラズマ化して排ガス流れ中に噴出させることによって、フィルターにおける排ガスの温度を５００℃超、特に６００℃超にして、フィルターに捕集されているＰＭを燃焼除去する。
【００１９】
上述のように本発明の排ガス浄化装置では、比較的少ないエネルギー消費で、添加される燃料の酸化反応を効率的に行わせて、下流のフィルターの温度を上昇させ、捕集されたＰＭを燃焼除去することができる。
【００２０】
また他の本発明の排ガス浄化装置の制御方法では、プラズマ発生装置を用いて燃料と共に排ガスの一部又は空気をプラズマ化して排ガス流れ中に噴出させることによって、排ガス流れ中に酸化性成分、例えばオゾン、酸素ラジカル、ＮＯ2を発生させて、フィルターにおける排ガスの温度が４５０℃未満、例えば２５０℃〜４５０℃、特に４００℃未満、例えば２５０〜４００℃の状態で、フィルターに捕集されているＰＭを燃焼除去する。
【００２１】
本発明のこの方法によれば、排ガス流れ中に酸化性成分を発生させることによって、４５０℃未満といった比較的低い排ガス温度、すなわち熱によるＰＭの燃焼除去が実質的に行われる温度よりも低い温度において、フィルターに捕集されているＰＭの燃焼除去することができる。この方法を行う場合、プラズマ発生装置において比較的少量の燃料を比較的長い期間にわたって連続的に添加することができる。
【発明を実施するための最良の形態】
【００２２】
以下では、図１に基づいて本発明を具体的に説明するが、この図は本発明の概略を示す図であり、本発明はこの実施形態に限定されるものではない。
【００２３】
本発明の排ガス浄化装置１０は、排ガス流れ中にＰＭフィルター１を配置して、排ガス中のＰＭを捕集する排ガス浄化装置である。ここでは、プラズマ発生装置２によって燃料をプラズマ化して、ＰＭフィルター１の排ガス流れ上流側で排ガス流れ９中に噴出４させる。
【００２４】
本発明で使用できるＰＭフィルターは、排ガス中のＰＭ捕集のために使用できる任意のフィルターであり、特にコージェライトのようなセラミック製のウォールフロー型ハニカムフィルターを用いることができる。
【００２５】
また本発明で使用できる燃料は、任意の炭化水素化合物、及びエーテルのように酸素のような他の原子を随意に有する炭化水素に基づく化合物であってもよい。従って本発明で使用できる燃料は、内燃機関の動力エネルギーを発生させるために使用されるガソリンや軽油のようなものであっても、内燃機関の動力源としての燃料とは異なるものであってもよい。
【００２６】
尚、プラズマ発生装置が、燃料と共に水をプラズマ化する場合、この水は、燃料と共にプラズマ発生装置に供給すること、プラズマ発生装置でプラズマ化された燃料に対して噴射すること等によって、燃料と共にプラズマ化することができる。
【００２７】
また、プラズマ発生装置が、燃料と共に排ガスの一部又は空気をプラズマ化する場合、この排ガスの一部又は空気は、燃料と共にプラズマ発生装置に供給すること、プラズマ発生装置でプラズマ化された燃料に対して噴射すること、反対にプラズマ発生装置において排ガスの一部又は空気をプラズマ化し、そこに燃料を噴射すること等によって、燃料と共にプラズマ化することができる。
【００２８】
以下では、本発明の排ガス浄化装置で使用できるプラズマ発生装置を例示する。
【００２９】
＜放電プラズマ発生装置＞
本発明で使用できるプラズマ発生装置は例えば、図２に示すような放電プラズマ発生装置である。
【００３０】
この図２に示す放電プラズマ発生装置２０では、図７で示すようなインジェクター１００のノズル１２の先端部分に筒状体２２が配置されている。この筒状体２２とノズル１２の先端部分とは、絶縁材料２３によって電気的に絶縁されており、それぞれが対電極となるように、筒状体２２が電源２８に接続され、ノズル１２の先端部分が接地されている。筒状体２２とノズル１２の先端部分とはいずれをカソードとすることも、またアノードとすることもできる。また図２ではノズル１２の先端部分は接地されているが、電源２８に接続して筒状体２２と反対の電圧を印加されるようにしてもよい。
【００３１】
この放電プラズマ発生装置２０の使用においては、ノズル１２からの燃料噴射時に、電源２８によって筒状体２２とノズル先端部分１８との間に放電を発生させ、それによって筒状体２２内及びその付近でプラズマ２９を発生させる。
【００３２】
また本発明で使用できるプラズマ発生装置は例えば、図３に示すような放電プラズマ発生装置であってもよい。
【００３３】
この図３に示す放電プラズマ発生装置３０では、排ガスの一部又は空気を流通させる導電性の円筒状導管３２の中心軸上に放電電極３６が配置されており、これらの導管３２と放電電極３６との間に絶縁材３４が配置されている。また、導管３２と放電電極３６とは、それぞれが対電極となるようにして、それぞれ接地及び電源３８に接続されている。導管３２と放電電極３６とは、いずれをカソードとすることも、またアノードとすることもできる。また導管３２と放電電極３６とは、いずれを接地することもできる。
【００３４】
この放電プラズマ発生装置３０の使用においては、電源３８によって導管３２の先端部３２ａと放電電極３６の先端部３６ａとの間に放電を発生させ、それによって放電プラズマ発生装置３０内の流路を通して供給される排ガスの一部又は空気３３をプラズマ３９化する。燃料は、インジェクター１００からこのプラズマ化された排ガスの一部又は空気に噴射する。
【００３５】
尚、この図３においては、導管を一方の電極として使用しているが、放電電極３６と対になる別個の電極を用いることも当然に可能である。
【００３６】
また図４に示すように、燃料を噴射するインジェクター１００の噴射ノズルを放電プラズマ発生装置３０’の流路内に配置し、放電プラズマ発生装置３０’の内壁とインジェクター１００の噴射ノズルとの間に、プラズマ化されるガス３３が流通するようにし、且つこのインジェクター１００の噴射ノズルを一方の電極として使用することもできる。
【００３７】
また更に、プラズマが発生する領域に更に水を供給する場合、図３及び４の放電プラズマ発生装置３０及び３０’で燃料を噴射するのと同様にして、水を噴射する追加のインジェクターを使用して、プラズマ化された排ガスの一部又は空気に水を噴射することができる。
【００３８】
放電プラズマ発生装置において電極として使用する部分は、電極間に電圧を印加して放電電極として使用できる材料で製造することができる。そのような材料として、導電性材料や半導体性材料を用いることができるが、金属材料、例えば銅、タングステン、ステンレス、鉄、アルミニウム等が好ましい。しかしながら特にアーク放電では電極が高温になるので、タングステンのような高融点材料を使用することが好ましい。また、バリア放電を使用するために、これらの導電性又は半導体性材料上に絶縁性材料を配置することもできる。
【００３９】
ここで発生させる放電プラズマは、電極間の放電によって生じる高エネルギーの電子を気体分子に衝突させ、それによって気体分子をプラスイオンとマイナスイオンとにすることによって発生させるプラズマをいう。この放電プラズマを発生させるためには、任意の放電形態を使用できるが、アーク放電、又はコロナ放電、例えばバリア放電を利用できる。
【００４０】
アーク放電を用いて放電プラズマ発生装置でプラズマを発生させる場合、電源は、例えば１〜５０Ｖの電圧及び５〜５００Ａの電流を供給することができる。このアーク放電ではカソードから放出される電子によって放電が持続される。アーク放電を生じさせるための電流としては、直流のみでなく交流を用いることもできる。
【００４１】
アーク放電は、放電電流や放電電圧を増加することにより出力の増大が容易であり、安定な放電を長時間持続することできる点で有利である。またアーク放電は、アーク放電を発生させる装置及び技術が簡単であり、設備費が比較的廉価である点で有利である。
【００４２】
またコロナ放電を用いて放電プラズマ発生装置でプラズマを発生させる場合、電源は、パルス状の直流又は交流電圧を供給するものでよい。電極間の印加電圧としては、一般的には１ｋＶ〜１００ｋＶ、例えば５ｋＶ〜２０ｋＶの電圧を使用することができる。また印加電圧のパルス幅は、０．１μｓ〜１０ｍｓ、特に０．１〜１０μｓにすることができる。
【００４３】
尚、電極上に絶縁性材料を配置してバリア放電を行うことは、プラズマの安定性、電極の耐久性などに関して好ましい。
【００４４】
＜結合誘導プラズマ発生装置＞
結合誘導によってプラズマを発生させる結合誘導プラズマ発生装置は例えば、プラズマ化される空間の周囲に配置された誘導コイルを有し、この誘導コイルに高周波電流を供給して、ガスの流路に磁場を発生させ、渦電流を発生させて、結合誘導プラズマを発生させるものである。
【００４５】
これは例えば図５に示すようなものでよい。この結合誘導プラズマ発生装置４０では、プラズマ化される排ガスの一部又は空気を流通させる導管４２の先端部分が電磁波を透過させる材料、例えば石英のような絶縁性材料で作られており、この先端部分の周囲に、誘導電場を発生するための誘導コイル４４が配置されている。誘導コイル４４の一端には、マッチングボックス４７を介して高周波電源４８が接続されており、他端は接地されている。
【００４６】
この燃料添加装置の使用においては、マッチングボックス４７によってインピーダンスを調整して高周波電源４８から誘導コイル４４に高周波電流を流し、導管４２の先端部分の内側において磁場を発生させ、渦電流を発生させ、それによって導管４２内及びその付近で誘導的にプラズマ４９を発生させる。燃料は、インジェクター１００から、このプラズマ化された排ガスの一部又は空気に噴射する。ここで使用する高周波電流としては、例えば２〜５０ＭＨｚ、特に３〜４０ＭＨｚの周波数を用いることができる。
【００４７】
この結合誘導プラズマは、電極（金属部分）を高温のプラズマに直接に露出させないことができるので、耐久性に関して好ましい。
【００４８】
結合誘導プラズマ発生装置では、図２及び４で示す放電プラズマ発生装置と同様に、燃料を直接にプラズマ化すること、及び燃料を噴射するインジェクター１００の噴射ノズルをプラズマ化するガスの流路内に配置すること等もできる。
【００４９】
＜マイクロ波プラズマ発生装置＞
マイクロ波によってプラズマを発生させるマイクロ波プラズマ発生装置は例えば、プラズマ化されるガスの流路に配置されたプラズマ励起体を有し、このプラズマ励起体に対してマイクロ波を照射して、プラズマ励起体の周囲でプラズマを発生させるものである。
【００５０】
これは例えば図６に示すようなものでよい。この図６に示すマイクロ波プラズマ発生装置５０では、プラズマ化する排ガスの一部又は空気を流通させる導管内に、マイクロ波５４の照射を受けてその周囲でのプラズマ５９の励起を促進するプラズマ励起体５２、例えば導電性セラミック、特にＳｉＣ焼結体のような導電性セラミック焼結体が配置されている。
【００５１】
このマイクロ波プラズマ発生装置５０の使用においては、マグネトロンのようなマイクロ波発生装置で発生させたマイクロ波５４、例えば周波数２．５４ＧＨｚ程度のマイクロ波を、導波管を経由させてアンテナからプラズマ化する排ガスの一部又は空気３３に照射し、電場強度を強めてプラズマ４９を発生させる。燃料は、インジェクター１００から、このプラズマ化された排ガスの一部又は空気に噴射する。
【００５２】
特に大気圧又はそれよりも高い気体圧力においてマイクロ波プラズマを発生させる場合、一般にプラズマ励起体５２を使用し、このプラズマ励起体にマイクロ波を照射することによって、このプラズマ励起体の周囲でプラズマを発生させることが有利である。
【００５３】
マイクロ波プラズマを使用することは、電極（金属部分）を高温のプラズマに直接に露出させないことができるので、耐久性に関して好ましい。
【００５４】
マイクロ波プラズマ発生装置５０では、図２及び４で示す放電プラズマ発生装置と同様に、燃料を直接にプラズマ化すること、及び燃料を噴射するインジェクター１００の噴射ノズルをプラズマ化するガスの流路内に配置すること等もできる。
【００５５】
＜プラズマ＞
一般に知られているようにプラズマとは、自由運動する正と負の電荷をもつ２種以上の荷電粒子が共存する物質状態を意味する。従ってプラズマ状態では、存在する物質は高いポテンシャルエネルギーを有し、燃料をプラズマ状態にすると、ラジカル化、クラッキングを行って、反応性の高い低分子量成分に転化することができる。
【００５６】
以下の実施例では、図８に示すタイプの放電プラズマ発生装置を使用して、燃料成分を伴う排ガスにプラズマを印加したときの酸化性成分、特にＮＯ2の発生効果を示す。ここで発生するＮＯ2は、４５０℃未満といった比較的低い排ガス温度、すなわち熱によるＰＭの燃焼除去が実質的に行われる温度よりも低い温度においても、フィルターに捕集されているＰＭの燃焼除去を促進することができる。
【００５７】
図８で示す放電プラズマ発生装置では、中心電極８２を囲むようにして筒状電極８４が配置されており、これらの中心電極８２と筒状電極８４とはそれぞれ電源８６に接続及び接地されている。この放電プラズマ発生装置８０においてプラズマ化されるモデルガスは、矢印で示すようにして、図８の左側から右側に筒状電極８４が取り囲む空間内を通過する。この放電リアクターの使用においては、電源８６によって中心電極８２と筒状電極８４との間に電圧を印加し、それによってこれらの電源間で放電を起こさせる。尚、ここでは、筒状電極８４の内側には絶縁性材料層を配置してバリア放電を発生させた。
【００５８】
この放電プラズマ発生装置に流通させるモデルガスの組成は表１に示すようなものであった。
【表１】
2006170049.tif 000003
【００５９】
実験の結果、モデルガス中にＣ3Ｈ8が８０ｐｐｍ存在しているときには、ＮＯ2の発生率が８２％であり、モデルガス中にＣ3Ｈ8が存在しないときには、ＮＯ2の発生率が８％であった。すなわち、燃料成分であるＣ3Ｈ8の存在によって、排ガスにプラズマを印加したときに酸化性成分であるＮＯ2の発生が促進されることが示された。
【００６０】
尚、ここでは、入りガス中のＮＯがどれだけＮＯ2に変化したかを「ＮＯ2の生成率」と定義している（ＮＯ＋Ｏ→ＮＯ2）。従って、ＮＯ2生成率＝（出ガス中ＮＯ2濃度）／（入りガス中ＮＯ濃度）となる。すなわち、例えばＮＯ2生成率６０％とは、１００ｐｐｍのＮＯが入りガスとして供給されたときに、６０ｐｐｍはＮＯ2に変化し、残りの４０ｐｐｍはＮＯのままである状態を示す。ここで、ガス濃度は体積（モル数）で表している。
【図面の簡単な説明】
【００６１】
【図１】本発明の排ガス浄化装置の１つの態様を示す図である。
【図２】本発明の燃料添加装置で使用できる放電プラズマ発生装置を示す断面図である。
【図３】本発明の燃料添加装置で使用できる他の放電プラズマ発生装置を示す断面図である。
【図４】本発明の燃料添加装置で使用できる更に他の放電プラズマ発生装置を示す断面図である。
【図５】本発明の燃料添加装置で使用できる結合誘導プラズマ発生装置を示す断面図である。
【図６】本発明の燃料添加装置で使用できるマイクロ波プラズマ発生装置を示す断面図である。
【図７】従来のインジェクターの拡大断面図である。
【図８】実施例で使用した放電プラズマ発生装置の斜視図である。
【符号の説明】
【００６２】
１    ＰＭフィルター
２    プラズマ発生装置
４    プラズマ化された燃料
９    排ガス流れ
１０    本発明の排ガス浄化装置
２０、３０、３０’    放電プラズマ発生装置
３３    プラズマ化されるガスの流れを示す矢印
２９、３９、３９’、４９、５９    プラズマ
４０    結合誘導プラズマ発生装置
５０    マイクロ波プラズマ発生装置
８０    実施例で使用した放電プラズマ発生装置
１００    従来のインジェクター
【図１】
2006170049.tif 000004
【図２】
2006170049.tif 000005
【図３】
2006170049.tif 000006
【図４】
2006170049.tif 000007
【図５】
2006170049.tif 000008
【図６】
2006170049.tif 000009
【図７】
2006170049.tif 000010
【図８】
2006170049.tif 000011